(57)【要約】【課題】  比較的安価に、かつ適切に、交流電流を検出すること。【解決手段】  交流電流Ｉが流れる電線５にカレントトランスＣＴが介挿され、トランスＣＴの一端側には変換回路１０が接続され、他端側にはＡ／Ｄ変換器１１が接続される。変換回路１０は、トランスＣＴの両端に現れる、交流電流Ｉに応じて変動する電圧が正の値で変動するように電圧変換を行う。ＣＰＵ１２は、Ａ／Ｄ変換器１１からの出力値に基づいて演算処理を行うことにより、電線５に流れる交流電流Ｉをソフトウェア的に検出する。【選択図】図２
2005283232.tif 000002
【特許請求の範囲】
【請求項１】
交流電流が流れる電線に介挿されるトランスと、
前記トランスの両端に現れる、前記交流電流に応じて変動する電圧が正の値で変動するように電圧変換を行う変換回路と、
前記変換回路によって変換された電圧を入力してデジタル信号に変換するＡ／Ｄ変換器と、
前記Ａ／Ｄ変換器からの出力値に基づいて演算処理を行うことにより、前記電線に流れる交流電流を検出する演算手段と、
を備える電流検出装置。
【請求項２】
前記演算手段は、前記Ａ／Ｄ変換器からの出力値を所定周期で記憶するとともに、最新のＮ個（ただし、Ｎは自然数）の出力値を保持する記憶手段を備え、前記記憶手段に記憶されたＮ個の出力値から電圧平均値を求めることにより、前記電線に流れる交流電流を検出することを特徴とする請求項１記載の電流検出装置。
【請求項３】
前記トランスの一端側が前記Ａ／Ｄ変換器に接続されるとともに、他端側が前記変換回路に接続され、
前記変換回路は、前記演算手段又は前記Ａ／Ｄ変換器の電源電圧を分圧する少なくとも２個の抵抗によって構成されることを特徴とする請求項１又は２記載の電流検出装置。
【請求項４】
交流電源から供給される交流電流によって駆動される水中ポンプ装置であって、
前記交流電流が流れる電線に介挿されるトランスと、
前記トランスの両端に現れる、前記交流電流に応じて変動する電圧が正の値で変動するように電圧変換を行う変換回路と、
前記変換回路によって変換された電圧を入力してデジタル信号に変換するＡ／Ｄ変換器と、
前記Ａ／Ｄ変換器からの出力値に基づいて演算処理を行うことにより、前記電線に流れる交流電流を検出する演算手段と、
前記演算手段によって検出される交流電流が所定値以下となった場合に、前記交流電源からの交流電流の供給を停止させる制御手段と、
を備える水中ポンプ装置。
【請求項５】
交流電源から供給される交流電流によって駆動される水中ポンプ装置であって、
前記交流電流が流れる電線に介挿されるトランスと、
前記トランスの両端に現れる、前記交流電流に応じて変動する電圧が正の値で変動するように電圧変換を行う変換回路と、
前記変換回路によって変換された電圧を入力してデジタル信号に変換するＡ／Ｄ変換器と、
前記Ａ／Ｄ変換器からの出力値に基づいて演算処理を行うことにより、前記電線に流れる交流電流を検出する演算手段と、
前記演算手段によって検出される交流電流が所定値以下となった場合に、前記電線が断線したものと認識する制御手段と、
を備える水中ポンプ装置。
【請求項６】
前記演算手段は、前記Ａ／Ｄ変換器からの出力値を所定周期で記憶するとともに、最新のＮ個（ただし、Ｎは自然数）の出力値を保持する記憶手段を備え、前記記憶手段に記憶されたＮ個の出力値から電圧平均値を求めることにより、前記電線に流れる交流電流を検出することを特徴とする請求項４又は５記載の水中ポンプ装置。
【請求項７】
前記トランスの一端側が前記Ａ／Ｄ変換器に接続されるとともに、他端側が前記変換回路に接続され、
前記変換回路は、前記演算手段又は前記Ａ／Ｄ変換器の電源電圧を分圧する少なくとも２個の抵抗によって構成されることを特徴とする請求項４乃至６のいずれかに記載の水中ポンプ装置。
【発明の詳細な説明】
【技術分野】
【０００１】
本発明は、電流検出装置およびそれを利用した水中ポンプ装置に関し、特に交流電流を検出する技術に関する。
【背景技術】
【０００２】
従来、下水道設備等に設けられる水中ポンプ装置は、貯留槽内の水位を検知する水位センサを備え、槽内水位が所定水位を超えたことが検知された場合に排水動作を開始するものが知られている。この種の水中ポンプ装置には、ポンプの稼働効率を向上させるために、ポンプ負荷によってその排水動作の停止を制御するものが存在する。例えば、ポンプにかかる負荷をモータに供給される交流電流から推測するように構成され、電流値が所定値以下に低下した場合に排水処理が完了したものとしてポンプ動作を停止するようにして、ポンプを必要以上に稼働させないような制御が行われている。
【０００３】
上記のような水中ポンプ装置では、モータに供給される交流電流を検出するために、カレントトランスとダイオードブリッジ回路とを用いるのが一般的である（例えば、特許文献１）。この場合、モータに導かれる電線にカレントトランスが介挿されており、そのカレントトランスの両端に現れる交流電圧がダイオードブリッジ回路によって整流されることにより、モータに供給される交流電流に対応した直流電圧が検知される。
【０００４】
【特許文献１】特開平６−１６０４４２号公報
【発明の開示】
【発明が解決しようとする課題】
【０００５】
ところが、ダイオードブリッジ回路を用いて電流検出を行う場合、ダイオードに印加される電圧が順方向電圧以下（例えば０．６Ｖ以下）になると、整流が不可能になる。そのため、水中ポンプの負荷が低減し、ポンプモータへの供給電流が上記順方向電圧相当以下になった場合には、ダイオードでの整流が行われず、供給電流に対応した直流電圧を検出することができなくなるという問題が発生する。その結果、ポンプ負荷が低減したことを検知することができなくなり、水中ポンプを停止させるための制御を行うことが不可能になる。
【０００６】
また、整流が行われず、交流電流が検知不能になった場合、ポンプ負荷の低減と電線の断線とを識別することができなくなるという問題があり、電線が断線しても、それを迅速に把握することができなくなる。
【０００７】
これらの問題を解消するために、整流のための専用ＩＣを使用することが考えられるが、専用ＩＣは非常に高価である。そのため、専用ＩＣを使用すると水中ポンプの製造コストが高騰するという新たな問題が生ずることになる。
【０００８】
そこで、本発明は、上記課題を解決するためになされたものであり、比較的安価に、かつ適切に交流電流を検出することができる電流検出装置および水中ポンプを提供することを目的とするものである。
【課題を解決するための手段】
【０００９】
本発明にかかる電流検出装置は、交流電流が流れる電線に介挿されるトランスと、前記トランスの両端に現れる、前記交流電流に応じて変動する電圧が正の値で変動するように電圧変換を行う変換回路と、前記変換回路によって変換された電圧値を入力してデジタル信号に変換するＡ／Ｄ変換器と、前記Ａ／Ｄ変換器からの出力値に基づいて演算処理を行うことにより、前記電線に流れる交流電流を検出する演算手段と、を備えて構成される。
【００１０】
また、前記演算手段は、前記Ａ／Ｄ変換器からの出力値を所定周期で記憶するとともに、最新のＮ個（ただし、Ｎは自然数）の出力値を保持する記憶手段を備え、前記記憶手段に記憶されたＮ個の出力値から電圧平均値を求めることにより、前記電線に流れる交流電流を検出するように構成されることが好ましい。
【００１１】
また、前記トランスの一端側が前記Ａ／Ｄ変換器に接続されるとともに、他端側が前記変換回路に接続され、前記変換回路が、前記演算手段又は前記Ａ／Ｄ変換器の電源電圧を分圧する少なくとも２個の抵抗によって構成されることが好ましい。
【００１２】
また、本発明にかかる水中ポンプ装置は、交流電源から供給される交流電流によって駆動されるように構成されており、前記交流電流が流れる電線に介挿されるトランスと、前記トランスの両端に現れる、前記交流電流に応じて変動する電圧が正の値で変動するように電圧変換を行う変換回路と、前記変換回路によって変換された電圧値を入力してデジタル信号に変換するＡ／Ｄ変換器と、前記Ａ／Ｄ変換器からの出力値に基づいて演算処理を行うことにより、前記電線に流れる交流電流を検出する演算手段と、前記演算手段によって検出される交流電流が所定値以下となった場合に、前記交流電源からの交流電流の供給を停止させる制御手段と、を備えるものである。
【００１３】
また、本発明にかかる水中ポンプ装置は、交流電源から供給される交流電流によって駆動されるように構成されており、前記交流電流が流れる電線に介挿されるトランスと、前記トランスの両端に現れる、前記交流電流に応じて変動する電圧が正の値で変動するように電圧変換を行う変換回路と、前記変換回路によって変換された電圧を入力してデジタル信号に変換するＡ／Ｄ変換器と、前記Ａ／Ｄ変換器からの出力値に基づいて演算処理を行うことにより、前記電線に流れる交流電流を検出する演算手段と、前記演算手段によって検出される交流電流が所定値以下となった場合に、前記電線が断線したものと認識する制御手段と、を備えるものである。
【００１４】
また、上記の水中ポンプ装置においても、前記演算手段は、前記Ａ／Ｄ変換器からの出力値を所定周期で記憶するとともに、最新のＮ個（ただし、Ｎは自然数）の出力値を保持する記憶手段を備え、前記記憶手段に記憶されたＮ個の出力値から電圧平均値を求めることにより、前記電線に流れる交流電流を検出するように構成されることが好ましい。
【００１５】
また、上記の水中ポンプ装置においても、前記トランスの一端側が前記Ａ／Ｄ変換器に接続されるとともに、他端側が前記変換回路に接続され、前記変換回路が、前記演算手段又は前記Ａ／Ｄ変換器の電源電圧を分圧する少なくとも２個の抵抗によって構成されることが好ましい。
【発明の効果】
【００１６】
本発明によれば、トランスの両端に現れる電圧が、変換回路とＡ／Ｄ変換器とによって良好にデジタル信号に変換され、演算手段によるソフトウェア的な演算処理によって交流電流が検出されるので、ダイオードブリッジ回路等を用いる必要がないことから、交流電流を検知不能に陥ることがない。よって、常に正確に交流電流を検知することができるようになる。また、電流検知が不能になることがないので、電線が断線したときには、それを的確に把握することができるようになる。
【００１７】
また、演算手段が、記憶手段に記憶されたＮ個の出力値から電圧平均値を求めることによって電線に流れる交流電流を検出するように構成すれば、演算処理の効率化が図られる。
【００１８】
また、トランスの一端側がＡ／Ｄ変換器に接続されるとともに、他端側が変換回路に接続され、変換回路が、演算手段又はＡ／Ｄ変換器の電源電圧を分圧する少なくとも２個の抵抗によって構成されることにより、電流検出装置又は水中ポンプ装置を低コストで実現することができる。
【発明を実施するための最良の形態】
【００１９】
以下、本発明にかかる電流検出装置を水中ポンプ装置に適用した実施の形態について図面を参照しつつ詳細に説明する。
【００２０】
図１は、本実施形態に係る水中ポンプ装置１の全体構成を示す図である。図１に示すように、水中ポンプ装置１は、地上に設置されるブレーカ等の交流電源２ａおよび制御ユニット２ｂを内蔵した制御ボックス２と、貯留槽の底部に設置される水中ポンプ３とが、電力供給を行うための電線５によって接続された構成となっている。また、水中ポンプ３の外部には、槽内の水圧を検知することなどによって槽内水位を検知する水位計２０が取付具３５によって固定されており、水位計２０によって検知される水位は電気信号に変換され、信号線６を介して制御ボックス２内の制御ユニット２ｂに与えられる。なお、水位計２０は、水中ポンプ３に対して固定されていなくてもよく、水中ポンプ３から分離した状態で槽内に設けられるものであっても構わない。
【００２１】
水中ポンプ３は、その内部にモータ３１を備えており、モータ３１は電線５を介して制御ボックス２から供給される交流電流によって駆動される。モータ３１が回転駆動されることにより、モータ３１の回転軸先端に取り付けられた羽根３２が回転し、その羽根３２の回転によって、水中ポンプ３は、その底部から槽内の貯留水を吸い込み、排出口３３に取り付けられる排水管（図示せず）を介して槽外に排出するようになっている。
【００２２】
制御ユニット２ｂは、制御ボックス２からモータ３１に接続される電線５に介挿されたスイッチをオンオフすることによって、水中ポンプ３におけるモータ３１の駆動制御を行う機能を有しており、水位計２０によって検知される槽内水位が所定水位を超えた場合にスイッチをオンし、制御ボックス２からモータ３１への給電を開始させ、水中ポンプ３を駆動させる。また、制御ユニット２ｂは、制御ボックス２からモータ３１に接続された電源５を流れる交流電流を検知し、それによって水中ポンプ３にかかる負荷を監視するように構成されている。そして水中ポンプ３にかかる負荷が所定レベルよりも小さくなると、貯留水の排水処理が完了したものと認識して、スイッチをオフし、水中ポンプ３の排水動作を停止させる。
【００２３】
図２は、水中ポンプ装置１の制御機構を示すブロック図であり、主として制御ユニット２ｂ内部の構成を示す図である。制御ボックス２内の交流電源２ａと水中ポンプ３のモータ３１とを接続する電線５には、モータ３１への交流電流ＩをオンオフするスイッチＳＷと、カレントトランスＣＴが介挿されている。
【００２４】
カレントトランスＣＴは、抵抗Ｒ３と並列に接続され、スイッチＳＷがオン状態にあるとき、カレントトランスＣＴおよび抵抗Ｒ３の両端に、電線５に流れる交流電流Ｉに比例した電圧を出力する。またカレントトランスＣＴの一方端は、２個の抵抗Ｒ１，Ｒ２で構成される変換回路１０に接続され、他方端はＡ／Ｄ変換器１１に接続される。
【００２５】
通常、電線５に交流電流Ｉが流れると、カレントトランスＣＴの出力電圧は、０Ｖを中心にして周期的に正および負の値をとる交流電圧となって現れる。ところが、Ａ／Ｄ変換器１１は一般に負の電圧をデジタル信号に変換できないようになっている。そのため、本実施形態では、カレントトランスＣＴの一方端に、変換回路１０が接続され、Ａ／Ｄ変換器１１およびＣＰＵ１２の電源電圧を抵抗Ｒ１，Ｒ２で分圧した電圧Ｖａが交流電圧の振動中心となるように設定されている。例えば、Ａ／Ｄ変換器１１およびＣＰＵ１２の電源電圧が５Ｖであり、抵抗Ｒ１，Ｒ２の抵抗値が等しい値に設定されることにより、中心電圧Ｖａが２．５Ｖに設定される。このようにカレントトランスＣＴの一方端は変換回路１０によって所定電圧にプルアップされた状態となっている。なお、Ａ／Ｄ変換器１１とＣＰＵ１２との電源電圧が異なる場合、変換回路１０はいずれか一方の電源電圧を分圧するものであればよい。
【００２６】
上記のような変換回路１０の作用により、Ａ／Ｄ変換器１１に入力する電圧Ｖは、交流電流Ｉに応じて、図３に示すように変化する。すなわち、電圧Ｖは電線５を流れる交流電流Ｉに応じて所定電圧Ｖａを中心にして正の値で変動する。Ａ／Ｄ変換器１１はこの入力電圧Ｖを逐次デジタル信号に変換した後、その電圧信号をＣＰＵ１２に出力する。
【００２７】
ＣＰＵ１２は所定の水中ポンプ制御用プログラムに基づいて水中ポンプ３の動作を制御するものである。このＣＰＵ１２は内部にメモリ１３を備えるとともに、上記プログラムを実行することにより、演算部１４および制御部１５として機能する。制御部１５は、主として水中ポンプ３の運転開始および停止を制御する制御手段であり、演算部１４は後述する演算処理（ソフトウェア演算）によって電線５を流れる交流電流を求める演算手段である。
【００２８】
制御部１５は、水位計２０によって検知される槽内水位を、予めメモリ１３に記憶されている所定水位と比較し、槽内水位が所定水位を超えた場合にスイッチＳＷをオンし、水中ポンプ３を駆動させる。
【００２９】
そして水中ポンプ３の駆動中、ＣＰＵ１２においては演算部１４が機能し、Ａ／Ｄ変換器１１から入力する電圧信号を一定周期ごとに取り込んでメモリ１３に格納する。そしてメモリ１３には一定周期ごとに取り込まれた電圧値がＮ個（ただし、Ｎは予め定められた自然数）格納される。また、メモリ１３はいわゆるリングバッファとして構成され、Ｎ個の電圧値は常に最新の状態で保持されている。
【００３０】
すなわち、図３に示すように、演算部１４は、Ａ／Ｄ変換器１１から入力する電圧信号Ｖを、一定周期ごとのタイミングＴ１，Ｔ２，Ｔ３，…でサンプリングし、各タイミングＴ１，Ｔ２，Ｔ３，…での電圧値Ｖ１，Ｖ２，Ｖ３，…をメモり１３に順次格納していく。予め定められたＮ個の電圧値Ｖ１〜ＶＮがメモリ１３に格納されると、それ以後、演算部１４は一定周期ごとに交流電流の算出演算を繰り返し行う。
【００３１】
なお、図３において、タイミングＴＮの次のタイミングＴ(Ｎ＋１)では、メモリ１３に格納されているＮ個の電圧値のうち、最も古い電圧値Ｖ１が消去され、それによって生じる空き領域に、タイミングＴ（Ｎ＋１）での電圧値Ｖ（Ｎ＋１）が格納される。これにより、メモリ１３内のＮ個の電圧値は常に最新の状態で保持される。
【００３２】
上記のような格納処理により、メモリ１３には常に次の表１に示すようなテーブル状に電圧値Ｖ１〜ＶＮが格納される。
【００３３】
【表１】
2005283232.tif 000003
【００３４】
そして演算部１４は、メモリ１３に格納された電圧値が更新されるごと（すなわち、一定周期ごと）に、メモリ１３からＮ個の電圧値を取得し、電圧Ｖの振動中心となる電圧平均値Ｖａを求める。具体的には、
【００３５】
【数１】
2005283232.tif 000004
【００３６】
の演算処理を行うことにより、電圧平均値Ｖａを導出する。
【００３７】
図２に示した抵抗Ｒ１，Ｒ２の抵抗値が予め判っている場合、電圧平均値Ｖａは抵抗Ｒ１，Ｒ２による分圧値となるので、特に上記数１式の演算を行う必要はないと考えられる。しかし、水中ポンプ３の動作中は温度上昇等の外乱によって、抵抗Ｒ１，Ｒ２やその他の素子の特性が変化することから、電圧平均値Ｖａが変動することがある。そこで本実施形態では、演算部１４が上記数１式の演算を行うことによって、その時点での正確な電圧平均値Ｖａが求められるように構成されている。したがって、演算部１４が上記数１式に基づいた演算を行うことにより、図３に示す、交流電圧Ｖの振動中心となる電圧平均値Ｖａが正確に求められる。
【００３８】
電圧平均値Ｖａが得られると、演算部１４はさらに演算処理を行うことにより、図３の交流波形から整流波形を生成する。具体的には、表１における各電圧Ｖ１，Ｖ２，Ｖ３，…，ＶＮから電圧平均値Ｖａを減算した値の絶対値を求める。この演算結果は、再びメモり１３に格納され、メモリ１３には次の表２に示すようなテーブル状に電圧値Ｖ１ａ〜ＶＮａが格納される。なお、表２のようなテーブルデータは、メモリ１３における上述した表１のテーブルデータとは異なる記憶領域に格納される。
【００３９】
【表２】
2005283232.tif 000005
【００４０】
表２に示される整流演算は、電圧平均値Ｖａが求められる度に実行され、その都度メモリ１３に格納される電圧値Ｖ１ａ〜ＶＮａが更新される。なお、電圧平均値Ｖａが求められる都度、電圧値ＶＮａだけを逐次更新してメモリ１３に付け足していくようにしてもよい。
【００４１】
図４は、演算部１４の演算処理によって生成される整流波形を示す図である。上記の整流演算を行うことにより、電圧波形は全波整流波形と同じ波形となる。このため本実施形態においては、ソフトウェア処理によって整流波形の生成が行われる。
【００４２】
そして演算部１４は、メモリ１３から電圧値Ｖ１ａ〜ＶＮａを取得して、図４の全波整流波形の平均値を求める。具体的には、
【００４３】
【数２】
2005283232.tif 000006
【００４４】
の演算処理を行うことにより、電圧平均値Ｖｂを導出する。
【００４５】
このようにして求められる電圧平均値Ｖｂは、電線５を流れる交流電流Ｉに比例した値となる。そして演算部１４は、最終的に求められる電圧平均値Ｖｂを制御部１５に出力する。
【００４６】
演算部１４は上述した一連の演算処理を一定周期ごとに繰り返し行うため、演算部１４から制御部１５に出力される電圧平均値Ｖｂは一定周期ごとに逐次更新されることになる。
【００４７】
制御部１５は、水中ポンプ３の駆動中、演算部１４から逐次入力する電圧平均値Ｖｂを、その時点で電線５に流れる交流電流Ｉとして認識する。そして電圧平均値Ｖｂを予めメモリ１３に記憶された所定電圧Ｖthと比較し、電圧平均値Ｖｂが所定電圧Ｖthよりも小さくなった場合に、ポンプ負荷が低減したものと認識し、それによって排水処理が完了したことを把握する。したがって、制御部１５は、電圧平均値Ｖｂが所定電圧Ｖthよりも小さくなった場合に、スイッチＳＷをオフ状態に切り替え、水中ポンプ３の運転を停止させる。
【００４８】
以上のように本実施形態における水中ポンプ装置１は、交流電源２ａから供給される交流電流Ｉによって駆動されるように構成されており、交流電流Ｉが流れる電線５にカレントトランスＣＴが介挿されている。そして、カレントトランスＣＴの両端に現れる、交流電流Ｉに応じて変動する電圧が正の値で変動するように電圧変換が行われ、Ａ／Ｄ変換器１１によってデジタル信号に変換される。ＣＰＵ１２は、このデジタル信号を入力して演算処理を行うことにより、電線５に流れる交流電流Ｉを検出して、その交流電流Ｉが所定値以下となった場合に、交流電源２ａからの交流電流の供給を停止させるように制御する。
【００４９】
したがって、水中ポンプ装置１における電流検出装置は、カレントトランスＣＴ、抵抗Ｒ１，Ｒ２，Ｒ３、Ａ／Ｄ変換器１１およびＣＰＵ１２によって構成され、ダイオードブリッジ回路等を用いることなく、電線５に流れる交流電流Ｉを検知するように構成されている。そのため、交流電流Ｉが低減しても検知不能になることはなく、常に正確に交流電流Ｉを検知することができる。故に、ポンプ負荷の低減を良好に把握できるようになっている。
【００５０】
また、電線５が断線した場合には、最終的に求められる電圧平均値Ｖｂがほぼ０（Ｖ）となることから、電線５の断線を検知することができる。すなわち、断線を検知するための所定電圧Ｖsh（ただし、Ｖsh＜Ｖth）を予め設定しておき、電圧平均値Ｖｂが所定電圧Ｖthよりも小さいことが検知された場合、さらにその電圧平均値Ｖｂが所定電圧Ｖshよりも小さいか否かを判断することにより、ポンプ負荷の低減による電流低下であるか、若しくは断線による電流遮断であるかを判別することができる。そして断線が検知された場合には、警報を発する処理等を実行することにより、作業者による迅速な対応が可能になる。
【００５１】
さらに、本実施形態の水中ポンプ装置１は、電線５に流れる交流電流Ｉを正確に検出するための構成を低コストで構築することのできるものである。すなわち、従来の水中ポンプ装置においても水位計を用いて水中ポンプの駆動制御を行うために、制御手段としてＣＰＵが設けられていた。本実施形態の水中ポンプ装置１は、そのような従来から具備していたＣＰＵを利用し、演算処理によって交流電流Ｉを求めるように構成されているので、水中ポンプ装置１を構築するために新たに追加すべき部品は、極めて少ない。図２の構成でいえば、新たに必要となる部品は、変換回路１０を構成する抵抗Ｒ１，Ｒ２とＡ／Ｄ変換器１１である。また、Ａ／Ｄ変換機能を有するＣＰＵも存在することから、図２のＣＰＵ１２がＡ／Ｄ変換器１１の機能を内蔵するように構成すれば、新たに追加すべき部品は抵抗Ｒ１，Ｒ２のみとなる。したがって、本実施形態の水中ポンプ装置１において、交流電流Ｉを検出するための構成は極めて低コストとなり、安価に、かつ正確に交流電流Ｉを検出することができるようになる。
【００５２】
以上、本発明の実施の形態について説明したが、本発明は上述のものに限定されるものではない。
【００５３】
例えば、上記においては、電流検出装置が水中ポンプ装置１の水中ポンプ３側に設けられる場合を例示したが、制御ボックス２に設けるようにしてもよい。また、上記においては、水中ポンプ装置１に電流検出装置が適用される場合を例示したが、本発明にかかる電流検出装置は水中ポンプ装置１以外の装置にも適用可能なものである。また、上述した電流検出装置は、三相交流であっても正確に電流検出を行うことができるものである。
【００５４】
また、上記においては、ＣＰＵ１２の演算部１４が、電圧平均値Ｖａ，Ｖｂを求めることによって交流電流Ｉを求める手法を例示した。しかし、これに限定されるものではなく、演算部１４が他の演算を行うことによって交流電流Ｉを求めるものであってもよい。例えば、図３に示す電圧波形の実効値を求める演算を行うようにしてもよい。ただし、実効値演算は、平均演算に比べると演算効率が低下するため、ＣＰＵ１２の演算負荷を抑制して効率的な演算処理が求められる場合には、上述したように電圧平均値Ｖａ，Ｖｂを求めることが好ましい。
【００５５】
また、上記においては、変換回路１０が２個の抵抗Ｒ１，Ｒ２で構成される場合を例示したが、抵抗の数は必ずしも２個に限定されるものではない。すなわち、３個以上の抵抗を用いて電源電圧を分圧するものであっても構わない。
【図面の簡単な説明】
【００５６】
【図１】本発明の実施の形態に係る水中ポンプ装置の全体構成を示す図である。
【図２】水中ポンプ装置の制御機構を示すブロック図である。
【図３】Ａ／Ｄ変換器に入力する電圧を示す図である。
【図４】演算処理による整流波形を示す図である。
【符号の説明】
【００５７】
１  水中ポンプ装置
２ａ  交流電源
５  電線
１０  変換回路
１１  Ａ／Ｄ変換器
１２  ＣＰＵ
１３  メモリ（記憶手段）
１４  演算部（演算手段）
１５  制御部（制御手段）
３１  モータ
ＣＴ  カレントトランス
【図１】
2005283232.tif 000007
【図２】
2005283232.tif 000008
【図３】
2005283232.tif 000009
【図４】
2005283232.tif 000010